(57)【要約】【課題】画像加工し、ＣＤ等の円形エリアへ簡単に記録することができ、しかも、情報処理装置のみでデータの加工、印字まで事前に登録することによって、ＣＤ印字要求がなされたら、そのままＣＤ面印字を行うことができ、ＰＣを介して行っていた作業が、従来の印字操作よりも飛躍的に簡単かつ便利である情報処理装置を提供することを目的とするものである。【解決手段】デジタルカメラやメモリカード等の外部接続が可能な情報処理装置において、デジタルカメラやメモリカード等からの画像データを、情報処理装置の操作によって選択し、このようにして選択された画像データを、ＣＤ面印字の際に使用するものである。【選択図】  図１
2004255760.tif 000002
【特許請求の範囲】
【請求項１】
ＣＤラベル等の円形記録対象に記録することができる記録装置と、電子データ記憶媒体を接続可能なインタフェース手段と、情報を表示することができる表示部と、登録や動作のための操作が可能な操作部とを具備する情報処理装置において、
所定の操作によって、上記電子データ記憶媒体に記憶されている画像を円形記録対象に印字する操作手段を有することを特徴とする情報処理装置。
【請求項２】
請求項１において、
上記インタフェース手段で接続される上記電子データ記憶媒体は、デジタルカメラであることを特徴とする情報処理装置。
【請求項３】
請求項１において、
上記インタフェース手段で接続される上記電子データ記憶媒体は、メモリカードであることを特徴とする情報処理装置。
【請求項４】
請求項１〜請求項３のいずれか１項において、
上記円形記録対象に印字する際に、上記電子データ記憶媒体内の画像データを予め選択することによって、上記円形記録対象印字の際に、上記予め選択された画像を、上記円形記録対象の円形記録面に印字することを特徴とする情報処理装置。
【請求項５】
請求項１〜請求項４のいずれか１項において、
上記円形記録対象に記録する際に、選択された画像を記録面にどのように配置するかが定められている画像配置フォーマットを、予め指定することによって、ＣＤ面記録操作時は、画像配置フォーマットを指定操作する必要がないことを特徴とする情報処理装置。
【請求項６】
請求項５において、
上記画像配置フォーマットは、選択された画像データ数の画像数で、上記円形記録面を分割するフォーマットであり、上記分割されたエリア毎に、上記選択された画像を１つずつ割り当てた記録画像を作成し、円形の画像を作成することを特徴とする情報処理装置。
【請求項７】
請求項６において、
画像に割り振られた順番情報に従い、上記円形記録面に時計回りで上記画像を配列する画像配置フォーマットを持つことを特徴とする情報処理装置。
【請求項８】
請求項６において、
画像に割り振られた順番情報に従い、上記円形記録面に反時計回りで上記画像を配列する画像配置フォーマットを持つことを特徴とする情報処理装置。
【請求項９】
請求項５において、
上記円形記録面に上記画像が入るように、上記画像をランダムに配置する画像配置フォーマットをもつことを特徴とする情報処理装置。
【請求項１０】
請求項１〜請求項９のいずれか１項において、
操作部で入力したテキスト情報を、上記円形記録面に記録する情報として付加し、用意されたフォーマットにテキストと画像とを印字することを特徴とする情報処理装置。
【請求項１１】
請求項１〜請求項１０のいずれか１項において、
操作部でテキストを予め登録し、上記円形記録面に印刷するときに、入力操作すること無しに、登録したテキスト情報の印字を行うことを特徴とする情報処理装置。
【請求項１２】
請求項１〜請求項１１のいずれか１項において、
画像の状況のための付加情報として持つタグ情報を、操作部で検索条件として指定することによって、タグ情報を用いてインタフェースに接続された画像記憶媒体から、指定されたタグ情報を持つ画像を検索し、検索された画像を、インタフェースに接続された画像記憶媒体から情報処理装置のデータ記憶手段に転送することを特徴とする情報処理装置。
【請求項１３】
請求項１２において、
タグ情報によって検索した場合、指定したタグ情報を持つ画像が存在しなければ、画像検索のためのタグ情報の再入力を行わせる手段を有することを特徴とする情報処理装置。
【請求項１４】
ＣＤラベル等の円形記録対象に記録することができる記録装置と、電子データ記憶媒体を接続可能なインタフェース手段と、情報を表示することができる表示部と、登録や動作のための操作が可能な操作部とを具備する情報処理装置の制御方法において、
所定の操作によって、上記電子データ記憶媒体に記憶されている画像を円形記録対象に印字する操作段階を有することを特徴とする情報処理装置の制御方法。
【請求項１５】
ＣＤラベル等の円形記録対象に記録することができる記録装置と、電子データ記憶媒体を接続可能なインタフェース手段と、情報を表示することができる表示部と、登録や動作のための操作が可能な操作部とを具備する情報処理装置に実行させるプログラムにおいて、
所定の操作によって、上記電子データ記憶媒体に記憶されている画像を円形記録対象に印字する操作手順を情報処理装置に実行させるプログラム。
【発明の詳細な説明】
【０００１】
【発明の属する技術分野】
本発明は、情報処理装置、その制御方法およびプログラムに関する。
【０００２】
【従来の技術】
従来、デジタルカメラのデータを印字させる場合、パーソナルコンピュータ（以下ＰＣ）を介して、画像データをＰＣに保存し、加工することによって、プリンタで印字する。
【０００３】
特に、個人単位で画像のアルバムやビデオデータの編集が行われるようになり、これら編集したアルバムやビデオデータを保存する場合、ＣＤ等のメディアに記録する需要が増えている。つまり、作成したＣＤの写真アルバム等へ印字する需要が増加し、ＣＤ−Ｒ面へ印字することができる機能を有するＰＣが増えている。
【０００４】
【発明が解決しようとする課題】
しかし、ＰＣを介したＣＤ面への印字は、デジタルカメラデータをＰＣに一旦、保存し、その後印字するという手間があり、操作が非常に煩雑である。
【０００５】
また、情報処理装置において、ＣＤ面印字機能を持たせる場合は、操作部が煩雑になり、ＣＤ面へ印字するための画像データを保存する容量を具備するメモリがないと、コストの安いインクジェット方式の複合機等において、機能を積載することが困難であるという問題がある。
【０００６】
本発明は、画像データを情報処理装置の操作部を操作するだけで、画像選択、画像加工し、ＣＤ等の円形エリアへ簡単に記録することができる情報処理装置、その制御方法およびプログラムを提供することを目的とするものである。
【０００７】
また、本発明は、情報処理装置のみでデータの加工、印字まで事前に登録することによって、ＣＤ印字要求がなされたら、そのままＣＤ面印字を行うことができ、ＰＣを介して行っていた作業が、従来の印字操作よりも飛躍的に簡単かつ便利である情報処理装置、その制御方法およびプログラムを提供することを目的とするものである。
【０００８】
【課題を解決するための手段】
本発明は、デジタルカメラやメモリカード等の外部接続が可能な情報処理装置において、デジタルカメラやメモリカード等からの画像データを、情報処理装置の操作によって選択し、このようにして選択された画像データを、ＣＤ面印字の際に使用するものである。
【０００９】
【発明の実施の形態および実施例】
［第１の実施例］
図１は、本発明の第１の実施例である画像処理システムを構成する画像処理装置１００の概略構成を示すブロック図である。
【００１０】
画像処理装置１００において、ＣＰＵ１０１は、システム制御部であり、画像処理装置１００の全体を制御する。
【００１１】
ＲＯＭ１０２は、ＣＰＵ１０１が実行する制御プログラムや組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１２】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００１３】
画像メモリ１０４は、ＤＲＡＭ（ｄｙｎａｍｉｃ  ＲＡＭ）等で構成され、画像データを蓄積する。
【００１４】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００１５】
読取制御部１０６は、読取部１０７が、ＣＩＳイメージセンサ（密着型イメージセンサ）によって原稿を光学的に読取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読取りを行うシート読取制御方式と、原稿台にある原稿をスキャンするブック読取制御方式との両制御方式に対応しているものである。
【００１６】
操作表示部１０８は、数値入力キー、文字入力キー、ワンタッチ電話番号キー、モード設定キー、決定キー、取り消しキー等を備え、ユーザが画像送信相手先データの決定や、登録値の設定データや、省エネモードの設定の登録動作を行う操作部と、各種キー、ＬＥＤ（発光ダイオード）とＬＣＤ（液晶ディスプレイ）等によって構成され、オペレータによる各種入力操作や、画像処理装置１００の動作状況、ステータス状況の表示等を行う表示部である。
【００１７】
通信制御部１０９は、ＭＯＤＥＭ（変復調装置）や、ＮＣＵ（網制御装置）等によって構成され、アナログの通信回線（ＰＳＴＮ）１３１に接続され、Ｔ３０プロトコルでの通信制御、通信回線に対する発呼と着呼等の回線制御を行っている。
【００１８】
解像度変換処理部１１０は、画像データのミリ−インチ解像度変換等の解像度変換制御を行う。なお、解像度変換処理部１１０において、画像データの拡大縮小処理も可能である。
【００１９】
符号復号化処理部１１１は、画像処理装置１００で扱う画像データ（ＭＨ、ＭＲ、ＭＭＲ、ＪＢＩＧ、ＪＰＥＧ等）を符号復号化処理し、拡大縮小処理を行う。
【００２０】
記録制御部１１２は、図示しない画像処理制御部を介して、印刷される画像データに、スムージング処理や記録濃度補正処理、色補正等の各種画像処理を施し、高精細な画像データに変換し、ＵＳＢホスト制御部（後述）に出力し、また、ＵＳＢホスト制御部を制御することによって、定期的に記録部１１４の状態情報データを取得する。
【００２１】
ＵＳＢインタフェース制御部１１３は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行い、逆に、外部の情報処理端末からのＵＳＢパケットを、データに変換し、ＣＰＵ１０１に送信する。
【００２２】
ＵＳＢホスト制御部は、ＵＳＢ通信規格で定められたプロトコルで通信するための制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部は、ＵＳＢ通信におけるホストの機能を有する。
【００２３】
記録部１１４は、レーザビームプリンタやインクジェットプリンタ等からなる印刷装置であり、カラー画像データ、またはモノクロ画像データを印刷部材に印刷し、ＵＳＢホスト制御部との間で、ＵＳＢ通信規格で定められたプロトコルで通信し、特に、記録部１１４は、ファンクションの機能を有する。
【００２４】
記録制御部１１２は、記録部１１４に接続されている信号線を制御するものである。特に、記録部１１４が印刷装置として単体で装置として動作し、複合機に組み込む形で記録部１１４を用いている場合、記録部１１４が単体装置であるときに存在しているキーを信号線に置き換えることによって、キーの入力を実現している。
【００２５】
具体的な使用法としては、ＵＳＢホスト制御部から記録部１１４にデータを送り、記録部１１４を動作させるが、記録部１１４が電源オフにされているときは、記録部１１４がデータを受信したときに、電源を復帰させる機能（自動電源復帰機能）が設定されていない限り、ＵＳＢホスト制御部からデータを送信しても、記録部１１４は動作ができない。
【００２６】
したがって、記録部１１４に自動電源復帰機能を持たせないようにすると、記録部１１４の電源を立ち上げることができなくなる。そこで、記録制御部１１２を用いて、記録部１１４の電源をＯＮする。実施例では、信号線が、記録部１１４の電源キーと直結しているので、信号線を介して、記録部１１４に信号を送ることによって、記録部１１４に自動電源復帰機能がない状態、または機能を無効にしている状態でも、記録部１１４の電源を立ち上げることができる。
【００２７】
本実施例においては、記録機能のＵＳＢ通信は、１対１の接続形態を用いる。
【００２８】
上記構成要素１０１〜１０６、１０８〜１１５は、ＣＰＵ１０１が管理するＣＰＵバス１２１を介して、相互に接続されている。
【００２９】
図２は、情報処理装置１００における操作表示部１０８の具体例を示す図である。
【００３０】
操作表示部１０８は、テンキー部２０１と、ワンタッチ短縮ダイヤルキー部２０２と、スタート／コピーキー２０３と、ストップキー２０４と、フックキー２０５と、受信モード切替キー２０６と、読取り解像度切り替えキー２０７と、セットキー２０８と、モードキー２０９と、リダイヤルキー２１０と、短縮ダイヤル／検索キー２１１と、ポーズキー２１２と、回線使用中／メモリ蓄積中動作表示ランプ２１３と、警告ランプ２１４と、ＬＣＤディスプレイ２１５と、原稿フィードレバー２１６と、ワンタッチ短縮ダイヤルパネル２１７と、トーンキー２１８と、ＣＤ面印字キー（カメラ→カードキー）２１９と、画像選択キー（カード→カードキー）２２０と、画像配置フォーマット選択キー（カメラ→プリントキー）２２１と、カメラ→ＦＡＸキー２２２と、カード保存キー２２３と、転送条件設定キー２２４と、リカバリキー２２５とを有する。
【００３１】
テンキー部２０１は、電話番号、ファクシミリ番号や相手先名称等を登録し、コピー部数やダイヤルをするときに使用するキー群である。
【００３２】
ワンタッチ短縮ダイヤルキー部２０２は、ワンタッチ短縮ダイヤル発呼を行うときに使用するキー群である。
【００３３】
スタート／コピーキー２０３は、ファクシミリ送信、コピーを開始するキーである。
【００３４】
ストップキー２０４は、ファクシミリ送受信、コピーやその他のオペレーション操作を停止させるキーである。
【００３５】
フックキー２０５は、手動送信や通話等を行うときに使用するキーである。
【００３６】
受信モード切替キー２０６は、ファクシミリ／ＴＥＬモード、マニュアル受信モード、自動受信モード等の受信モードを切り換えるキーである。
【００３７】
読取り解像度切り替えキー２０７は、ファクシミリ送信時、コピー時の読取解像度、記録解像度を切り換えるキーである。
【００３８】
セットキー２０８は、情報等を登録する際に、押すことによって設定を確定するキーである。
【００３９】
モードキー２０９は、押すことによって、装置のスタンバイ時を、コピーモード、ファックスモード、スキャナモードに切り換えるキーである。
【００４０】
リダイヤルキー２１０は、押すことによって、最後にダイヤルした相手先へ再発呼するキーである。
【００４１】
短縮ダイヤル／検索キー２１１は、短縮ダイヤルに登録してある相手先電話番号や、ファクシミリ番号へ発呼し、他のグループの相手先名称や番号を検索するキーである。
【００４２】
ポーズキー２１２は、ダイヤルするときや番号登録するときに、ポーズを挿入するキーである。
【００４３】
回線使用中／メモリ蓄積中動作表示ランプ２１３は、回線使用時や受信文書がメモリに蓄積されているときに点灯するランプである。
【００４４】
警告ランプ２１４は、エラー発生時やインク、トナー、記録紙なし時に点灯するランプである。点灯している間は、何かしらの警告がされているので、記録動作等通常動作に制限がかかるか、または動作しない。
【００４５】
ＬＣＤディスプレイ２１５は、メッセージやオペレーションプロンプト、各種情報を表示するディスプレイである。
【００４６】
原稿フィードレバー２１６は、レバーを左にセットすると、自動原稿給紙になり、右にセットすると、手差し給紙になるレバーである。
【００４７】
ワンタッチ短縮ダイヤルパネル２１７は、開けるとファンクションキー部にアクセスすることができるパネルである。
【００４８】
トーンキー２１８は、パルス回線使用時に、トーン発呼をしたいときに使用するキーである。
【００４９】
ＣＤ面印字キー２１９は、ＣＤ面上に記録を行うキーである。キーを押下すると、ＣＤ面上に記録するためのオペレーションに移行し、ＣＤ面に印字を行う。
【００５０】
画像選択キー２２０は、ＣＤ面上への印字を行う際に、ＣＤ面印字キーを押下する前に、印字に使用する画像を予め選択するキーである。
【００５１】
画像配置フォーマット選択キー２２１は、ＣＤ面印字時に選択された画像を、どのように配置、画像処理するのかを示すフォーマットを選択するキーである。このキー２２１によって、ＣＤ面印字時に行われる画像処理と配置フォーマットとを、ＣＤ面印字の前に選択することができる。
【００５２】
カメラ→ＦＡＸキー２２２は、通信制御部１０９を通して、接続されたデジタルカメラ１１７のデータをＦＡＸ通信するキーである。
【００５３】
カード保存キー２２３は、読取制御部１０６が、接続されたメモリカード１１６を制御し、読取部１０７が読取ったデータを保存するためのキーである。
【００５４】
転送条件設定キー２２４は、画像転送のための条件を設定するキーであり、このキー２２４を押下することによって、デジタルカメラやメモリカード等のデジタルデータを転送する際の条件を指定することができる。
【００５５】
リカバリキー２２５は、警告ランプ２１４が点灯している際に、エラー原因や警告原因を取り除いた後に、押下することによって、警告ランプ２１４が消灯できるキーである。エラーが自動判別できない機種や、エラーをユーザに回復させたい際に使用される。
【００５６】
次に、上記実施例において、ＣＤ面へ印字する動作について説明する。
【００５７】
図３は、上記実施例において、ＣＤ面へ印字する動作を示すフローチャートである。
【００５８】
まず、ステップ３０１では、ＣＤ面印字要求を受け取る。この印字要求は、ＣＤ面印字キーでの入力であってもよく、登録ＭＥＮＵ内のＣＤ面印字設定でもよく、ＣＤ面印字モードでの印字スタートでもよく、また、その要求方法は、情報処理装置の操作部を使用している限り、その方法を問わない。
【００５９】
ステップ３０２では、ＣＤ面印字に使用する画像が、選択済みであるかどうかを判別する。選択されていなければ、ステップ３０６では、画像を選択する。画像選択の詳細は、図４に示している。ステップ３０２で、画像が選択されていれば、または、ステップ３０６で、画像選択がされた後に、ステップ３０３において、ＣＤ面印字の画像変換方法が選択されていれば、ステップ３０４に進む。
【００６０】
また、ステップ３０３で、画像変換選択済みではないと判別されたら、ステップ３０７では、画像変換方法を選択する。画像変換方法についての詳細は、図５の説明の中で後述する。ステップ３０４では、選択された画像と画像変換方法とによって、画像を変換する。次に、ステップ３０５では、ＣＤ面へ印字する。
【００６１】
上記方法によって、ＣＤ面等の円形記録範囲に、情報処理装置が印字することができる。
【００６２】
なお、本実施例においては、円形記録範囲として、ＣＤ面への印字を仮定しているが、円形であるメディアに対する印字であれば、ＣＤ面以外のものに上記実施例を適用することができる。
【００６３】
次に、上記実施例において、画像を選択する動作について説明する。
【００６４】
図４は、上記実施例において、画像を選択する動作を示すフローチャートである。
【００６５】
まず、ステップ４０１では、選択できる画像の画像番号を、操作表示部１０８に示す。ステップ４０２では、ユーザが操作表示部１０８によって、画像を選択する。この画像選択において、枚数を制限していないが、画像処理次第では、枚数制限をすることができる。
【００６６】
次に、ステップ４０３では、画像が選択されたかどうかを判別する。正しく判別されていれば、ステップ４０４に移行する。正しく選択されていなければ、ステップ４０２において、再び画像選択をユーザに行わせる。そして、ステップ４０４において選択された画像の画像番号を記憶する。
【００６７】
上記方法によって、画像を選択することができる。なお、本実施例において、画像選択の際に画像番号を用いたが、画像固有の情報を用いた場合は、この限りではない。
【００６８】
次に、上記実施例において、画像配置フォーマットを選択する動作について説明する。
【００６９】
図５は、上記実施例において、画像配置フォーマットを選択する動作を示すフローチャートである。
【００７０】
まず、ステップ５０１では、選択できる画像について、その画像配置のフォーマットを、操作表示部１０８に示す。ステップ５０２では、画像配置フォーマットが選択されたかどうかを判別する。正しく判別されていれば、ステップ５０３に移行する。正しく選択されていなければ、ステップ５０２において、画像配置フォーマットをユーザに再び選択させる。
【００７１】
上記方法によって、画像処理のフォーマットを選択することができる。なお、選択される画像配置フォーマットについては、後述の実施例で説明する。
【００７２】
次に、上記実施例において、ＣＤ印字前に印字画像選択する動作について説明する。
【００７３】
図６は、上記実施例において、ＣＤ印字前に印字画像選択する設定方法を示すフローチャートである。
【００７４】
ステップ６０１では、画像選択キーが押下されたかどうかを判別する。画像選択キーが押下されていなければ、ステップ６０１において画像選択キーが押下されているかどうかを再び判定する。ステップ６０１において画像選択キーが押下されていれば、ステップ６０２で、画像選択する。画像選択の詳細を、図４に示す。
【００７５】
上記方法によって、ＣＤへの印字の前に、印字で使用する画像を選択する操作を実現する。そのために、本実施例では、ＣＤ印字で使用する画像を、ＣＤ印字動作前に予め選択しておくようにしてもよい。
【００７６】
ただし、本実施例では、事前の画像選択の入り口として、キーを用いているが、登録ＭＥＮＵ内のＣＤ画像選択項目から選択するようにしてもよく、その方法は、情報処理装置の操作部を使用している場合は、この限りではない。
【００７７】
次に、上記実施例において、ＣＤ印字で使用される画像配置フォーマットを、ＣＤ印字前に選択する動作について説明する。
【００７８】
図７は、上記実施例において、ＣＤ印字前に、ＣＤ印字で使用される画像配置フォーマットを、ＣＤ印字前に選択する動作を示すフローチャートである。
【００７９】
まず、ステップ７０１では、画像配置フォーマット選択キーが押下されたかどうかを判定する。画像配置フォーマット選択キーが押下されていなければ、ステップ７０１において画像配置フォーマットキーが押下されているかどうかを再び判別する。ステップ７０１において画像配置フォーマットキーが押下されたら、ステップ７０２で、画像配置フォーマットを行う。画像配置フォーマットの選択の詳細は、図５の説明の中で後述する。
【００８０】
上記方法によって、ＣＤへの印字の前に、印字で使用する画像配置フォーマットを選択する操作を実現する。このために、本実施例では、ＣＤ印字で使用する画像配置フォーマットを、ＣＤ印字動作前に、予め選択するようにしてもよい。
【００８１】
ただし、本実施例では、事前の画像配置フォーマット選択の入り口としてキーを用いているが、このようにする代わりに、登録ＭＥＮＵ内からＣＤ画像配置フォーマット項目を選択するようにしてもよく、その方法は、情報処理装置の操作部を使用している場合は、この限りではない。
【００８２】
次に、上記実施例において、ＣＤ印字のための画像配置フォーマット作成動作について説明する。
【００８３】
図８は、上記実施例において、ＣＤ印字のための画像配置フォーマット作成動作を示すフローチャートを示す図である。
【００８４】
画像配置フォーマット法としては様々なものを考えることができ、図８に示すように、選択された画像数に、印字範囲の円を分割した場合における画像処理について説明する。
【００８５】
まず、ステップ８０１では、画像が選択されているかどうかを判別する。もし画像が選択されていなければ、ステップ８０５では、画像選択し、この画像選択は、既に図４で示した方法である。ステップ８０１において画像が選択されていれば、ステップ８０２では、印字範囲の円を、選択された画像数Ｎで分割する。
【００８６】
図９は、上記実施例において、選択画像数が４である場合に、記録する円範囲（円形記録対象の円形記録面）を４分割するフォーマットの例を示す図である。
【００８７】
ステップ８０３では、分割毎に画像変換する。画像変換のフォーマットの例を、図９〜図１１に示してある。
【００８８】
ステップ８０４では、ＣＤ面へ印字する。
【００８９】
図９に示す例では、選択された画像数が４であり、この場合、記録する円範囲を４分割し、それぞれ円の中心を重心とみなし、画像を同サイズにすることによって、円への画像の配置を整然としたものにし、画像を配置する。このようにすることによって、記録する円の範囲に、画像を綺麗に配置することができる。
【００９０】
図１０は、上記実施例において、選択された画像を等分に配置する画像配置フォーマットの一例を示す図である。
【００９１】
図１０に示す例では、選択された画像数が４であり、この場合、記録する円範囲を４分割し、それぞれ同一方向に並べ、画像を同サイズにすることによって、円への画像を整然と配置する。このようにすることによって、記録する円の範囲に、画像を綺麗に配置することができる。
【００９２】
図１１は、上記実施例において、選択された画像を、ランダムに配置する画像配置フォーマットの例を示す図である。
【００９３】
図１１に示す例では、選択された画像数が４であり、この場合、記録する円範囲にランダムに選択された画像を配置する。画像のサイズは、制限範囲内で拡大縮小し、配置させることによって、画像の配置を指定せずに簡単にデザインし、配置することができる。このようにすることによって、記録する円の範囲に画像を綺麗に配置することができる。
【００９４】
図１２、図１３は、上記実施例において、選択された画像を円状に配置し、画像を円状に合わせて変換する画像配置フォーマットの一例を示す図である。
【００９５】
選択された画像数を４とし、記録する円範囲を４分割し、それぞれ円の中心を重心とみなし、画像を同サイズにすることは、図９に示すフォーマットと同様である。さらに、図１２に示すように、選択された画像を、分割された扇状の形に変形する。このようにすることによって、図１３に示すように、画像を円環状につなげた印字結果を得ることができる。
【００９６】
上記実施例によれば、ＣＤ面への印字として選択した画像を、適切な位置に印字することができる。
【００９７】
上記実施例において、円範囲の記録メディアとして、ＣＤラベル面を使用しているが、円形で記録装置の印字可能なものであれば、ＣＤラベル面以外のものに、上記実施例を適用することができる。
【００９８】
また、本実施例では、選択された順番に、画像を時計回りに配置しているが、配置の順番を、上記順番に限定する必要はなく、ランダムに配置するようにしてもよい。本実施例では、画像を選択した順番を画像の順番にしているが、上記以外の順位で、情報を順番付けするようにしてもよい。
【００９９】
［第２の実施例］
本発明の第２の実施例は、ＣＤ面に印字する際に、テキストデータも同時に印刷する実施例である。
【０１００】
図１４は、第２の実施例において、テキストデータも含めてＣＤ面へ印字する動作を示すフローチャートである。
【０１０１】
ステップ１４０１では、ＣＤ面印字要求を受け取り、この印字要求は、ＣＤ面印字キーによる入力であっても、登録ＭＥＮＵ内のＣＤ面印字設定でも、ＣＤ面印字モードでの印字スタートでもよく、印字要求の方法は、情報処理装置の操作部を使用している限り、その方法を問わない。
【０１０２】
ステップ１４０２では、ＣＤ面印字に使用する画像が選択済みであるかどうかを判別する。選択されていなければ、ステップ１４０７において、画像選択する。画像選択の詳細は、図４に示してある。ステップ１４０２で、画像選択されている場合、またはステップ１４０７で画像選択がされた後にステップ１４０３においてＣＤ面印字の画像配置フォーマットが選択されていれば、ステップ１４０４に進む。
【０１０３】
また、ステップ１４０３では、画像配置フォーマットが選択済みでないと判別されれば、ステップ１４０８では、画像配置フォーマットを選択する。画像変換配置フォーマットについての詳細を、図５に示してある。
【０１０４】
次に、ステップ１４０４では、テキストを入力するか否かを判別する。テキスト入力を行う場合は、ステップ１４０９では、テキスト入力し、このテキスト入力の詳細を、図１５で説明する。
【０１０５】
ステップ１４０４では、テキスト入力を行わない場合、またはステップ１４０９においてテキスト入力を行った後に、ステップ１４０５において選択された画像と画像配置フォーマットならびにテキスト情報とを用い、画像変換する。次に、ステップ１４０６では、ＣＤ面へ印字する。
【０１０６】
次に、上記実施例におけるテキストの入力方法について説明する。
【０１０７】
図１５は、上記実施例において、テキストの入力方法を示すフローチャートである。
【０１０８】
まず、テキストの入力を行う際、まずステップ１５０１では、操作表示部１０８にテキストの入力画面を表示し、ステップ１５０２では、テキストを配置するフォーマットを、ユーザに選択させる。このフォーマットは、文字がＣＤ面に印字されるフォーマットであり、画像配置とは異なるものである。このテキスト配置フォーマットを選択したら、ステップ１５０３では、操作表示部１０８を用いてテキストを入力する。
【０１０９】
そして、入力が終ったら、ステップ１５０４では、最大文字数をオーバしているか否かを判別する。最大文字数をオーバしていたら、ステップ１５０３で、再びテキスト入力する。ステップ１５０４で、最大文字数をオーバしていなければ、終了する。
【０１１０】
図１６、図１７は、上記実施例において、テキスト配置のフォーマットの例を示す図である。
【０１１１】
図１６は、テキストを上下二段に並べた例を示す図である。
【０１１２】
図１６において、斜線部で示す部分に、操作表示部１０８で入力されたテキスト情報を配置する。
【０１１３】
図１７は、上記実施例において、テキストを円周に沿って丸く並べるフォーマットを示す図である。
【０１１４】
これも、操作表示部１０８で入力されたテキストデータを、斜線部の部位に配置することによって、テキストデータを適切な位置に配置することができる。黒矢印は、円周を文字の下、円の中心を文字の上部とした場合における文字の配置の順番を示す。このようにすることによって、文字が左から右に、ＣＤ面の円周に沿って配置される。
【０１１５】
上記第２の実施例によれば、選択した画像と入力したテキスト情報とを、ＣＤ面の適切な位置に印字することができる。
【０１１６】
上記第２の実施例において、円範囲の記録メディアとしてＣＤラベル面を使用しているが、円形で記録装置が印字可能なものであれば、ＣＤラベル面以外のものに記録するようにしてもよい。
【０１１７】
［第３の実施例］
本発明の第３の実施例は、デジタルカメラを情報処理装置１００に接続した場合、デジタルカメラのデータの検索方法を、タグ情報を用いて検索する場合におけるＣＤ面印字法に適用する実施例である。
【０１１８】
第１の実施例は、図４に示す画像選択の方法であるが、第３の実施例は、特にこの部分において、接続されたデジタルカメラデータを選択し、ＣＤ面印字に使用する実施例である。
【０１１９】
図１８は、本発明の第３の実施例において、デジタルカメラ１１７から情報処理装置１００へ転送された場合に、日付情報に応じて転送する実施例である。
【０１２０】
まず、ステップ１８０１では、デジタルカメラ１１７からの転送が行われれば、転送する条件が設定されているかどうかを判別する。転送する条件が設定されている場合、ステップ１８０３では、設定情報に応じて、デジタルカメラ１１７内のデータを検索する。設定が行われていない場合、ステップ１８０２では、転送する画像の日付を設定する。日付設定を行う場合、操作表示部１０８で設定する。
【０１２１】
日付が設定された場合、ステップ１８０３では、上記設定された日付情報に基づいて、デジタルカメラ内を検索する。ステップ１８０４で、設定された日付を持つ画像を検索できれば、ステップ１８０５では、検索された画像を情報処理装置１００に転送する。画像検索されなければ、ステップ１８０２で、転送する画像の日付を再び入力する。
【０１２２】
第３の実施例によれば、画像転送時の日付設定を行い、日付情報を持つ画像を情報処理装置１００に転送することができる。
【０１２３】
また、第３の実施例では、画像のタグ情報の検索条件として、日付情報を使用しているが、デジタルカメラの画像に付属するタグ情報であれば、日付情報に限定する必要がない。また、転送元である画像データ保存装置として、デジタルカメラを使用しているが、画像を電子データとして保管できるものであれば、デジタルカメラに限定する必要がない。
【０１２４】
図１９は、本発明の第３の実施例において、画像を転送する場合に、日付情報を設定する動作を示すフローチャートである。
【０１２５】
まず、ステップ１９０１では、日付設定をする際に期間を設定するか、日付を設定するのかを判別する。期間を設定しない場合、ステップ１９０５では、日付設定する。そして、日付を設定した後に、ステップ１９０６では、日付設定をさらに実行するかどうかを判別し、日付設定するならば、ステップ１９０５で、日付設定を再び行い、そうでなければ、日付設定を終了する。
【０１２６】
期間設定をする場合、まずステップ１９０２では、開始日時を設定させ、ステップ１９０３では、終了日時を設定する。その後、ステップ１９０４では、もう１つの期間を入力することを促し、さらに別の期間を設定させる場合、ステップ１９０２で、期間設定をもう一度行い、期間設定を行わない場合、日時設定を終了する。
【０１２７】
第３の実施例では、日付をデータの範囲で括ったものの例として期間を考えているが、設定値の範囲で検索対象にする場合は、この限りではない。たとえば、ファイル名の数字の順列、アルファベット順、語順、サイズ範囲等を期間と同等に考えることができる。
【０１２８】
また、図１８に示す場合と同様に、画像のタグ情報として日付情報を用いているが、画像に付帯するタグ情報であれば、この限りではない。
【０１２９】
上記のようにすることによって、情報処理装置１００に接続されているデジタルカメラのデータを検索し、この検索されたデータを、ＣＤ面印字のデータとして使用することができる。
【０１３０】
なお、上記各実施例では、画像入力機器としてデジタルカメラを使用しているが、デジタル画像を保存、転送することができる機器であれば、デジタルカメラ以外のものに適用することができる。たとえば、メモリカードやデジタルカメラ付き携帯電話に、上記各実施例を適用することができる。
【０１３１】
上記実施例によれば、デジタルカメラやメモリカード等の外部接続が可能な装置から受信した画像データを、情報処理装置の操作によって選択し、ＣＤ面印字の際に使用するので、インクジェット複合機におけるＣＤ面印字の操作性が向上する。
【０１３２】
また、上記実施例によれば、情報処理装置の操作部を操作するだけで、画像選択、画像加工し、ＣＤ等の円形エリアへ、簡単に記録することができ、また、情報処理装置のみでデータの加工、印字を、登録しておくだけで、ＣＤ面に印字することができ、ＰＣを介して行っていた作業が、従来の印字操作よりも、飛躍的に操作の簡単、便利さを向上することができる。
【０１３３】
なお、上記実施例をプログラムの発明として把握することができる。
【０１３４】
つまり、上記実施例は、ＣＤラベル等の円形記録対象に記録することができる記録装置と、電子データ記憶媒体を接続可能なインタフェース手段と、情報を表示することができる表示部と、登録や動作のための操作が可能な操作部とを具備する情報処理装置に実行させるプログラムにおいて、所定の操作によって、上記電子データ記憶媒体に記憶されている画像を円形記録対象に印字する操作手順を情報処理装置に実行させるプログラムの例である。
【０１３５】
【発明の効果】
本発明によれば、デジタルカメラやメモリカード等の外部接続が可能な装置から受信した画像データを、情報処理装置の操作によって選択し、ＣＤ面印字の際に使用するので、インクジェット複合機におけるＣＤ面印字の操作性が向上するという効果を奏する。
【図面の簡単な説明】
【図１】本発明の第１の実施例である画像処理システムを構成する画像処理装置１００の概略構成を示すブロック図である。
【図２】情報処理装置１００における操作表示部１０８の具体例を示す図である。
【図３】上記実施例において、ＣＤ面へ印字する動作を示すフローチャートである。
【図４】上記実施例において、画像を選択する動作を示すフローチャートである。
【図５】上記実施例において、画像配置フォーマットを選択する動作を示すフローチャートである。
【図６】上記実施例において、ＣＤ印字前に印字画像選択する設定方法を示すフローチャートである。
【図７】上記実施例において、ＣＤ印字前に、ＣＤ印字で使用される画像配置フォーマットを、ＣＤ印字前に選択する動作を示すフローチャートである。
【図８】上記実施例において、ＣＤ印字のための画像配置フォーマット作成動作を示すフローチャートを示す図である。
【図９】上記実施例において、選択画像数が４である場合に、記録する円範囲を４分割するフォーマットの例を示す図である。
【図１０】上記実施例において、選択された画像を等分に配置する画像配置フォーマットの一例を示す図である。
【図１１】上記実施例において、選択された画像を、ランダムに配置する画像配置フォーマットの例を示す図である。
【図１２】上記実施例において、選択された画像を円状に配置し、画像を円状に合わせて変換する画像配置フォーマットの一例を示す図である。
【図１３】上記実施例において、選択された画像を円状に配置し、画像を円状に合わせて変換する画像配置フォーマットの一例を示す図である。
【図１４】第２の実施例において、テキストデータも含めてＣＤ面へ印字する動作を示すフローチャートである。
【図１５】上記実施例において、テキストの入力方法を示すフローチャートである。
【図１６】上記実施例において、テキスト配置のフォーマットの例を示す図である。
【図１７】上記実施例において、テキスト配置のフォーマットの例を示す図である。
【図１８】本発明の第３の実施例において、デジタルカメラ１１７から情報処理装置１００へ転送された場合に、日付情報に応じて転送する実施例である。
【図１９】上記実施例において、操作表示部で日付設定する詳細動作を示すフローチャートである。
【符号の説明】
１００…画像処理装置、
１０１…ＣＰＵ、
１０２…ＲＯＭ、
１０４…画像メモリ、
１１２…記録制御部、
１１４…記録部、
１１７…デジタルカメラ、
１１６…メモリカード。
【図１】
2004255760.tif 000003
【図２】
2004255760.tif 000004
【図３】
2004255760.tif 000005
【図４】
2004255760.tif 000006
【図５】
2004255760.tif 000007
【図６】
2004255760.tif 000008
【図７】
2004255760.tif 000009
【図８】
2004255760.tif 000010
【図９】
2004255760.tif 000011
【図１０】
2004255760.tif 000012
【図１１】
2004255760.tif 000013
【図１２】
2004255760.tif 000014
【図１３】
2004255760.tif 000015
【図１４】
2004255760.tif 000016
【図１５】
2004255760.tif 000017
【図１６】
2004255760.tif 000018
【図１７】
2004255760.tif 000019
【図１８】
2004255760.tif 000020
【図１９】
2004255760.tif 000021